(57)【要約】【課題】第１機器及び第２機器の何れか一方の機器と通信装置との通信プロトコルが共通か否かに関わらず機器と通信装置との通信を中継可能な中継装置を提供する。【解決手段】中継装置１において、第１通信部３１は、第１機器１１との間で第１通信プロトコルに従う第１信号ＳＮ１を伝送し、第２機器１２との間で第２通信プロトコルに従う第２信号ＳＮ２を伝送する。第２通信部３２は、通信装置１００との間で第１通信プロトコルに従う第３信号ＳＮ３を伝送する。制御部２は、動作状態として第１信号ＳＮ１及び第３信号ＳＮ３が伝送する情報を第１機器１１と通信装置１００との間で授受させる第１状態を有する。制御部２は、動作状態として第１通信プロトコルと第２通信プロトコルとを相互に変換して第２信号ＳＮ２及び第３信号ＳＮ３が伝送する情報を第２機器１２と通信装置１００との間で授受させる第２状態を有する。【選択図】図１
2018088651.tif 000002
【特許請求の範囲】
【請求項１】
第１機器及び第２機器の何れか一方の機器と通信装置との通信を中継する中継装置であって、
前記第１機器との間で第１通信プロトコルに従う第１信号を伝送し、前記第２機器との間で第２通信プロトコルに従う第２信号を伝送する第１通信部と、
前記通信装置との間で前記第１通信プロトコルに従う第３信号を伝送する第２通信部と、
前記第１通信部及び前記第２通信部の伝送動作を制御する制御部と、
を備え、
前記制御部は、動作状態として、前記第１信号及び前記第３信号が伝送する情報を前記第１機器と前記通信装置との間で授受させる第１状態と、前記第１通信プロトコルと前記第２通信プロトコルとを相互に変換して前記第２信号及び前記第３信号が伝送する情報を前記第２機器と前記通信装置との間で授受させる第２状態と、を有する
ことを特徴とする中継装置。
【請求項２】
前記第１通信部が前記第１信号を受信したか否かを判定する第１判定部と、前記第１通信部が前記第２信号を受信したか否かを判定する第２判定部とのうち少なくとも一方を有する判定部を更に備え、
前記制御部は、前記第１判定部及び前記第２判定部のうち少なくとも一方の判定結果に基づいて前記第１状態及び前記第２状態の何れか一方を選択するように構成された
ことを特徴とする請求項１に記載の中継装置。
【請求項３】
前記判定部は、前記第１通信部が受信した信号に基づいて判定動作を行うように構成された
ことを特徴とする請求項２に記載の中継装置。
【請求項４】
前記第１判定部において前記第１信号が伝送する情報に前記第１機器の種別を示す第１情報と前記情報の種別を示す第２情報とが含まれると判定された場合、前記制御部は、前記第１状態を選択するように構成された
ことを特徴とする請求項２又は３に記載の中継装置。
【請求項５】
前記第２判定部において前記第２信号が特定のパターンでハイレベルとローレベルとに切り替わると判定された場合、前記制御部は、前記第２状態を選択するように構成された
ことを特徴とする請求項２〜４の何れか１項に記載の中継装置。
【請求項６】
前記制御部は、前記第１通信部で伝送する前記第１信号の前記第１通信プロトコルのバージョンを、前記第２通信部で伝送する前記第３信号の前記第１通信プロトコルのバージョンに合わせるように構成された
ことを特徴とする請求項１〜５の何れか１項に記載の中継装置。
【請求項７】
前記制御部は、動作モードとして選択モードと通常モードとを有し、
前記選択モードは、前記制御部が前記第１状態及び前記第２状態の何れか一方を選択するモードであり、
前記通常モードは、前記制御部が前記選択モードで選択した前記第１状態及び前記第２状態の何れか一方を維持するモードである
ことを特徴とする請求項１〜６の何れか１項に記載の中継装置。
【請求項８】
前記第１通信部と前記機器とを電気的に接続するコネクタを更に備えた
ことを特徴とする請求項１〜７の何れか１項に記載の中継装置。
【発明の詳細な説明】
【技術分野】
【０００１】
本発明は、一般に、中継装置に関し、より詳細には、第１機器及び第２機器の何れか一方の機器と通信装置との通信を中継する中継装置に関する。
【背景技術】
【０００２】
従来、ネットワーク通信が可能な複数の機器と通信を行う制御装置が知られている（例えば特許文献１参照）。特許文献１に記載の制御装置は、ネットワークに接続された中継装置を介して複数の機器と通信を行う。
【先行技術文献】
【特許文献】
【０００３】
【特許文献１】特開２０１６−５８９９０号公報
【発明の概要】
【発明が解決しようとする課題】
【０００４】
特許文献１において、制御装置及び機器の通信規格は、例えばECHONET Lite（登録商標）規格に沿った仕様となっているが、他の通信規格を用いることもできる。機器と通信装置との通信規格（通信プロトコル）が異なる場合は、中継装置は通信プロトコルを変換する機能を有する必要がある。そのため、作業者は、機器と通信装置との通信プロトコルが共通か否かに応じて、適切な中継装置を機器と通信装置とに接続する必要があった。
【０００５】
本発明は上記課題に鑑みてなされ、第１機器及び第２機器の何れか一方の機器と通信装置との通信プロトコルが共通か否かに関わらず機器と通信装置との通信を中継可能な中継装置を提供することを目的とする。
【課題を解決するための手段】
【０００６】
本発明の一態様に係る中継装置は、第１機器及び第２機器の何れか一方の機器と通信装置との通信を中継する中継装置である。前記中継装置は、第１通信部と、第２通信部と、制御部と、を備える。前記第１通信部は、前記第１機器との間で第１通信プロトコルに従う第１信号を伝送し、前記第２機器との間で第２通信プロトコルに従う第２信号を伝送する。前記第２通信部は、前記通信装置との間で前記第１通信プロトコルに従う第３信号を伝送する。前記制御部は、前記第１通信部及び前記第２通信部の伝送動作を制御する。前記制御部は、動作状態として、前記第１信号及び前記第３信号が伝送する情報を前記第１機器と前記通信装置との間で授受させる第１状態を有する。前記制御部は、動作状態として、前記第１通信プロトコルと前記第２通信プロトコルとを相互に変換して前記第２信号及び前記第３信号が伝送する情報を前記第２機器と前記通信装置との間で授受させる第２状態を有する。
【発明の効果】
【０００７】
本発明の中継装置は、第１機器及び第２機器の何れか一方の機器と通信装置との通信プロトコルが共通か否かに関わらず機器と通信装置との通信を中継することができる。
【図面の簡単な説明】
【０００８】
【図１】図１Ａは、本発明の一実施形態に係る中継装置と通信装置と第１機器とのブロック図である。図１Ｂは、同上の中継装置と通信装置と第２機器とのブロック図である。
【図２】図２は、同上の中継装置の動作を説明するフローチャートである。
【図３】図３は、同上の中継装置が第１機器を登録する動作を説明するシーケンス図である。
【図４】図４は、同上の中継装置が第２機器を登録する動作を説明するシーケンス図である。
【発明を実施するための形態】
【０００９】
以下、本発明の実施形態に係る中継装置１について図１Ａ〜図４を参照して説明する。ただし、以下に説明する実施形態は、本発明の様々な実施形態の一つに過ぎない。下記の実施形態は、本発明の目的を達成できれば、設計などに応じて種々の変更が可能である。
【００１０】
（１）中継装置の概要
中継装置１は、図１Ａ，１Ｂに示すように、第１機器１１及び第２機器１２の何れか一方の機器と通信装置１００との通信を中継する。中継装置１は、例えば、所謂ＨＥＭＳ（Home Energy Management System）で用いられる装置である。ＨＥＭＳとは、戸建住宅のような建物に設置された機器のうち、ＨＥＭＳに対応する第１機器１１及び第２機器１２を制御するエネルギーマネジメントシステムである。ＨＥＭＳは、一例として、ＨＥＭＳに対応する第１機器１１及び第２機器１２と、第１機器１１及び第２機器１２の動作を制御する機能を有する通信装置１００と、を含む。
【００１１】
第１機器１１及び第２機器１２は、例えば、エアコン、照明器具、給湯装置、表示装置、洗濯機、ＩＨ（Induction Heating）クッキングヒータなどの電力を消費する電気機器である。
【００１２】
中継装置１は、例えば、図１Ａに示すように、第１ケーブル５１を介する有線通信により第１機器１１と通信を行う。中継装置１は、第１機器１１との間で第１通信プロトコルに従う第１信号ＳＮ１を伝送する。中継装置１は、一例として、第１機器１１との間で第１信号ＳＮ１を送受信する。第１通信プロトコルは、例えば、Ｗｉ−Ｆｉ（登録商標）、Ｂｌｕｅｔｏｏｔｈ（登録商標）、及び特定小無線電力通信などの無線通信でも使用可能である。第１通信プロトコルは、一例として、ECHONET Lite（登録商標）に従う通信プロトコルである。
【００１３】
中継装置１は、通信装置１００と無線通信により第１通信プロトコルで通信を行う。
【００１４】
中継装置１は、図１Ａの例に限らず、例えば、図１Ｂに示すように、変換コネクタ９及び第２ケーブル５２を介する有線通信により第２機器１２との間で第２通信プロトコルに従う第２信号ＳＮ２を伝送する。第２通信プロトコルは、一例として、日本電機工業会規格ＪＥＭ１４２７に従う通信方式である。第２通信プロトコルでは、第２信号ＳＮ２（図１Ｂ参照）が情報を伝送する。中継装置１は、一例として、第２機器１２との間で第２信号ＳＮ２を送受信する。第２信号ＳＮ２は、例えば、信号の電圧レベルがローレベルの信号（例えば０〜０．３Ｖ程度）とハイレベルの信号（例えば３．０〜３．４Ｖ程度）との組み合わせにより情報を伝送する信号である。なお、ローレベルの信号とハイレベルの信号との電圧レベルの値は一例であり、上記の値に限定されない。
【００１５】
変換コネクタ９は、中継装置１のコネクタ５（図１Ｂ参照）に接続される。変換コネクタ９は、第１通信プロトコルの規格に従うコネクタ５に、第２通信プロトコルの規格に従う第２ケーブルを電気的に接続するためのコネクタである。そのため、中継装置１は、１つのコネクタ５で第１機器１１及び第２機器１２の何れか一方の機器と電気的に接続可能となる。
【００１６】
中継装置１は、コネクタ５に第２機器１２が電気的に接続された場合、第１通信プロトコルと第２通信プロトコルとを相互に変換して、第２機器１２と通信装置１００との通信を中継する機能を有する。
【００１７】
（２）第１機器の概要
第１機器１１は、例えば、ECHONET Liteレディ機器である。ECHONET Liteレディ機器は、ECHONET Lite対応機器（本実施形態では通信装置１００）と通信するための情報を生成する機能を有するが、第１通信プロトコルで通信装置１００と通信するための機能の一部が省略されている。第１機器１１は、通信装置１００と直接に通信することはできないが、ECHONET Lite用のミドルウェアアダプタを介することにより、第１通信プロトコルでECHONET Lite対応機器と通信可能となる。本実施形態における中継装置１がECHONET Lite用のミドルウェアアダプタを兼ねているので、第１機器１１は、ECHONET Lite対応機器である通信装置１００との間で第１通信プロトコルで第１信号ＳＮ１を伝送することができる。第１機器１１は、一例として、通信装置１００との間で第１信号ＳＮ１を送受信することができる。
【００１８】
第１機器１１は、一例として、起動を完了すると、第１信号ＳＮ１を受信可能な状態となる。第１機器１１は、第１信号ＳＮ１を受信すると、第１信号ＳＮ１に応答する情報を含む第１信号ＳＮ１を第１ケーブル５１に送出するように構成されている。中継装置１と第１機器１１とは、第１ケーブル５１を介する有線通信により第１通信プロトコルで第１信号ＳＮ１を送受信する。
【００１９】
（３）第２機器の概要
第２機器１２は、中継装置１との間で第２通信プロトコルに従う第２信号ＳＮ２を伝送する。第２機器１２は、一例として、中継装置１との間で第２信号ＳＮ２を送受信する。第２機器１２は、例えば、第２信号ＳＮ２を受信すると、受信した第２信号ＳＮ２が伝送する情報に応じて所定機能の動作状態をオン状態とオフ状態とに交互に切り替える。また、第２機器１２は、所定機能の動作状態を示す情報を含む第２信号ＳＮ２を第２ケーブル５２に送出することができる。
【００２０】
第２機器１２は、操作部１２１を備えている。操作部１２１は、一例として、特定のパターンの第２信号ＳＮ２を第２機器１２から第２ケーブル５２に送出させるために操作される。特定のパターンとは、例えば、第２信号ＳＮ２の電圧レベルが、ローレベル→ハイレベル→ローレベルの順に変化するパターンを意味する。特定のパターンは、中継装置１に第２機器１２が接続されていることを中継装置１に通知するための信号を意味する。操作部１２１は、例えば、マグネット式の押釦スイッチである。押釦スイッチが押操作されると、第２機器１２は、第２信号ＳＮ２の電圧レベルをローレベルからハイレベルに変化させる。一方、押釦スイッチの押操作が解除されると、第２機器１２は、第２信号ＳＮ２の電圧レベルをハイレベルからローレベルに戻す。言い換えると、操作部１２１が操作されていない状態では、第２信号ＳＮ２の電圧レベルはローレベルとなり、操作部１２１が操作されている状態では、第２信号ＳＮ２の電圧レベルはハイレベルとなる。
【００２１】
（４）通信装置の概要
通信装置１００は、中継装置１との間で無線通信により第１通信プロトコルで第３信号ＳＮ３を伝送する。通信装置１００は、一例として、中継装置１との間で第３信号ＳＮ３を送受信する。通信装置１００は、中継装置１を介して第１機器１１及び第２機器１２と情報を授受することにより第１機器１１及び第２機器１２の動作について制御と管理とを行う装置である。通信装置１００は、例えば、第１機器１１及び第２機器１２の所定機能の状態をオン状態とオフ状態とに切り替える制御をすることができる。また、通信装置１００は、一例として、第１機器１１及び第２機器１２の所定機能の状態がオン状態かオフ状態かを判定して第１機器１１及び第２機器１２の所定機能の状態を管理することができる。
【００２２】
（５）中継装置の構成
中継装置１は、図１Ａ，１Ｂに示すように、第１通信部３１と、第２通信部３２と、制御部２と、判定部４と、を備える。中継装置１は更に、記憶部６と、報知部７と、コネクタ５と、器体８と、を備える。
【００２３】
コネクタ５は、一例として、ECHONET Liteの規格に従うコネクタ形状及びピンの配置となっている。コネクタ５には、第１ケーブル５１の一端のプラグが接続される。第１ケーブル５１の他端には、第１機器１１が電気的に接続される。
【００２４】
第１通信部３１は、コネクタ５が電気的に接続されている。第１通信部３１は、第１ケーブル５１を介して第１機器１１が送信した第１信号ＳＮ１を受信し、第１信号ＳＮ１に含まれる情報を制御部２に出力する。
【００２５】
第１通信部３１は、第１信号ＳＮ１を受信すると、第１信号ＳＮ１が伝送する情報（つまり第１信号ＳＮ１に含まれる情報）を制御部２に出力する。また、第１通信部３１は、第２信号ＳＮ２を受信すると、第２信号ＳＮ２が伝送する情報（つまり第２信号ＳＮ２に含まれる情報）を制御部２に出力する。
【００２６】
判定部４と、制御部２とは、一例として、マイコン（マイクロコンピュータ）のプロセッサが、マイコンの有する記憶部６からプログラムを読み込んで実行することにより実現されている。当該プログラムは、他にも例えば、マイコンの記憶部６とは異なる記憶装置から読み込まれてもよいし、第１通信部３１又は第２通信部３２を介して外部のサーバなどからダウンロードされてもよい。
【００２７】
判定部４は、第１判定部４１と、第２判定部４２とを有している。第１判定部４１は、第１通信部３１が機器から第１信号ＳＮ１を受信したか否かを判定する。第２判定部４２は、第１通信部３１が機器から第２信号ＳＮ２を受信したか否かを判定する。以下、判定部４の判定動作は、第１判定部４１及び第２判定部４２の少なくとも一方の判定動作を意味する。第１判定部４１と第２判定部４２との判定動作の詳細については後述する。
【００２８】
第２通信部３２は、無線通信により通信装置１００との間で第３信号ＳＮ３を伝送するためのアンテナを有する。第２通信部３２は、第１通信プロトコルで第３信号ＳＮ３が伝送する情報を通信装置１００との間で授受する。第２通信部３２は、通信装置１００が送信した情報を受け取って制御部２に出力する。また、第２通信部３２は、制御部２が出力した情報を受け取って通信装置１００に送信する。制御部２は、第１通信部３１と第２通信部３２との間で情報を伝送する。
【００２９】
制御部２は、第１通信部３１及び第２通信部３２の伝送動作を制御する。制御部２は、第１通信部３１の送受信動作と、第２通信部３２の送受信動作とを個別に制御することができる。
【００３０】
制御部２は、動作モードとして、選択モードと、通常モードとを有する。制御部２は、選択モードにおいて第１状態及び第２状態の何れか一方を選択する。制御部２は、第１判定部４１と、第２判定部４２との判定結果に基づいて第１状態及び第２状態の何れか一方を選択する。制御部２は、選択モードで選択した第１状態及び第２状態の何れか一方の状態を通常モードで維持することにより、第１通信部３１と第２通信部３２との間で情報を伝送する。
【００３１】
通常モードにおける制御部２が第１状態を選択している場合、制御部２は、第１通信部３１と第２通信部３２との間で情報を伝送する。制御部２は、コネクタ５に第１機器１１が電気的に接続されている場合には、第１通信部３１と第２通信部３２との間でプロトコル変換を行わない。つまり、中継装置１は、第１機器１１との通信と、通信装置１００との通信とについては第１通信プロトコルで行う。
【００３２】
一方、通常モードにおける制御部２が第２状態を選択している場合、制御部２は、第１通信部３１が制御部２に出力した情報を第１通信プロトコルに変換して第２通信部３２に出力する。また、第２状態を選択している制御部２は、第２通信部３２が制御部２に出力した情報を第２通信プロトコルに変換して第１通信部３１に出力する。ここでいう制御部２の通信プロトコルの変換は、情報の形式（例えばデータ構造など）を、第１通信プロトコル及び第２通信プロトコルの何れか一方に従う形式から他方に従う形式に変換することである。第２状態を選択している制御部２は、第２通信プロトコルと第１通信プロトコルとの相互のプロトコル変換機能を実現している。
【００３３】
記憶部６は、一例として、ＥＥＰＲＯＭ（Electrically Erasable Programmable Read-Only Memory）からなる。記憶部６には、制御部２が第１状態及び第２状態の何れか一方を選択するために必要な情報が保持されている。記憶部６は、第１通信部３１の通信プロトコルが第１通信プロトコル及び第２通信プロトコルの何れであるかを示す情報を保持する。また、記憶部６は、第１通信部３１と第１機器１１との通信プロトコルが第１通信プロトコルである場合、第１通信部３１が第１機器１１から受信した所定の情報を保持する。所定の情報とは、第１機器１１の種別に関する第１情報と、第１機器１１が送信する情報の種別に関する第２情報である。第１機器１１の種別に関する第１情報とは、例えば、第１機器１１がエアコン及び照明器具などのような機器の種別を示す情報である。第１機器１１が送信する情報の種別に関する第２情報とは、例えば、第１機器１１が送信する情報が数値を含む場合に、その数値が、温度、又は調光レベルなどのように、何に関する値であるかを示す情報である。
【００３４】
報知部７は、制御部２の状態が、選択モード、第１状態が選択されている通常モード、第２状態が選択されている通常モード、及び第１状態も第２状態も選択されていない未選択状態の何れであるかを作業者に報知する。報知部７は、例えば、ＬＥＤ（Light Emitting Diode）などの発光装置を含む。報知部７は、一例として、制御部２の状態に応じてＬＥＤの点灯状態を変えることにより制御部２の状態を光で作業者に報知する。
【００３５】
器体８は、一例として樹脂材料からなり、矩形箱状に形成されている。器体８は、内部にマイコンと、第１通信部３１と、第２通信部３２と、を収納している。器体８は、コネクタ５の接続口と、報知部７のＬＥＤとを外部に露出させている。また、器体８は、制御部２を起動させるための電源スイッチなどを外部に露出させている。作業者は、当該電源スイッチを操作して中継装置１の制御部２を起動させる。
【００３６】
ところで、ECHONET Liteの規格と日本電機工業会規格ＪＥＭ１４２７とでは、コネクタの形状、コネクタに必要なピンの本数及びピンの配置が互いに異なるため、コネクタに互換性がない。また、有線通信における第１通信プロトコルと第２通信プロトコルとでは、情報の形式が互いに異なるため、通信プロトコルに互換性がない。そこで、中継装置１は、ECHONET Liteの規格のコネクタ５の形状を日本電機工業会規格ＪＥＭ１４２７に従うコネクタ形状に変換する変換コネクタ９を用いて、コネクタ５と第２機器１２とを第２ケーブル５２で電気的に接続している。第２ケーブル５２は、日本電機工業会規格ＪＥＭ１４２７に従うケーブルである。第２機器１２は、第２ケーブル５２と変換コネクタ９とを介して第１通信部３１に第２信号ＳＮ２を送信する。
【００３７】
中継装置１のコネクタ５に変換コネクタ９を接続することにより、コネクタ５に第２機器１２を電気的に接続できるので、１つのコネクタ５に第１機器１１及び第２機器１２の何れかを接続可能である。そのため、第１機器１１用のコネクタと第２機器１２用のコネクタとを個別に設けた中継装置と比較して、本実施形態の中継装置１は器体８の小型化が可能である。
【００３８】
コネクタ５に第２機器１２が電気的に接続された場合、制御部２が第１通信部３１と第２通信部３２との間で第１通信プロトコルと第２通信プロトコルとを相互に変換することにより、中継装置１は、第２機器１２と通信装置１００との通信を中継する。これにより、中継装置１は、コネクタ５に第１機器１１及び第２機器１２の何れの機器が接続されても、通信装置１００と機器との通信を中継することができる。
【００３９】
（６）制御部と判定部との動作
ここで、中継装置１の制御部２が第１状態及び第２状態の何れかを選択する動作について図２を参照して説明する。以下の説明では、まず、コネクタ５に第１機器１１が電気的に接続されている場合の、中継装置１の制御部２と判定部４との動作について説明する。
【００４０】
作業者は、中継装置１のコネクタ５に、第１ケーブル５１を介してコネクタ５と第１機器１１とを電気的に接続した状態で、中継装置１の電源スイッチなどを操作して制御部２を起動させる。
【００４１】
中継装置１の制御部２は、起動を完了すると、選択モードになる（Ｓ１）。制御部２は、選択モードになると、第１信号ＳＮ１を第１通信部３１からコネクタ５に送出させる。この第１信号ＳＮ１には、コネクタ５に電気的に接続されている第１機器１１に通信方式を確認する情報が含まれている。通信方式を確認する情報とは、例えば、第１通信プロトコルで情報を授受するための通信インターフェース情報のうち、通信速度などを確認するための情報である。第１通信プロトコルは複数の通信方式に対応可能な通信プロトコルであるため、制御部２は、各通信方式に従う第１信号ＳＮ１を第１通信部３１からコネクタ５に送出させることができる。制御部２は、複数の通信方式のうちの１つの通信方式で第１機器１１と通信できるか否かを、第１信号ＳＮ１を受信するか否かで判断する。この第１信号ＳＮ１には、応答情報を含む第１信号ＳＮ１を第１機器１１に要求する情報が含まれている。
【００４２】
制御部２は、選択モードになって最初に第１信号ＳＮ１を第１通信部３１から送出させた時点からの経過時間をタイマなどにより計時する。制御部２は、一例として、タイマが計時した時間が第１所定時間（例えば１０秒程度）に達すると、第１機器１１からの応答を待ち受ける期間を終了させる。
【００４３】
制御部２は、例えば、複数の通信方式のうちの１つの通信方式を確認する情報を含む第１信号ＳＮ１を第１通信部３１からコネクタ５に送出させる。第１機器１１が当該１つの通信方式に対応できない場合があり得るので、制御部２は、複数の通信方式のうち、当該１つの通信方式を、複数の通信方式のうちの別の通信方式に変更して通信方式を確認する。つまり、制御部２は、複数の通信方式のうちの別の通信方式を確認する情報を含む第１信号ＳＮ１を第１通信部３１からコネクタ５に送出させることができる。第１機器１１が複数の通信方式のうち少なくとも１つの通信方式に対応できる場合、第１機器１１は、確認に対する応答情報を含む第１信号ＳＮ１を第１通信部３１に送信することができる。
【００４４】
コネクタ５に電気的に接続されている機器が第１機器１１であって、かつ、第１機器１１が複数の通信方式のうち少なくとも１つの通信方式に対応できる場合、第１機器１１は、確認に対する応答情報を含む第１信号ＳＮ１を第１通信部３１に送信する。第１判定部４１は、第１信号ＳＮ１を第１通信部３１が受信するか否かを判定する（Ｓ２）。
【００４５】
タイマが計時する時間が第１所定時間に達する時点までに第１通信部３１が第１信号ＳＮ１を受信すると（Ｓ２：Ｙｅｓ）、第１判定部４１は、第１通信部３１が受信する第１信号ＳＮ１に所定の情報が含まれるか否かを判定する（Ｓ３）。第１判定部４１において第１信号ＳＮ１に所定の情報が含まれると判定された場合（Ｓ３：Ｙｅｓ）、制御部２は、第１状態を選択し（Ｓ４）、動作モードを選択モードから通常モードにする（Ｓ５）。制御部２が第１状態を選択した場合、制御部２は、通常モードにおいて、第１信号ＳＮ１が伝送する情報を第１通信部３１と第２通信部３２との間で伝送し、プロトコル変換を行わない。つまり、制御部２は、第１状態を選択した場合、プロトコル変換を行うことなしに第１通信プロトコルで第１通信部３１と第２通信部３２との通信を中継する。
【００４６】
ところで、第１判定部４１において第１信号ＳＮ１に所定の情報が含まれないと判定された場合（Ｓ３：Ｎｏ）、制御部２は、第１通信部３１と通信可能な第１機器１１がコネクタ５に接続されていないと判定する。この場合、制御部２は、選択モードを終了して通常モードになり、第１状態も第２状態も選択していない状態であることを作業者に報知する動作を報知部７に行わせる。
【００４７】
次に、コネクタ５に第２機器１２が電気的に接続されている場合の、中継装置１の制御部２と判定部４との動作について図２を参照して説明する。以下の説明は、作業者が中継装置１のコネクタ５に、変換コネクタ９及び第２ケーブル５２を介してコネクタ５と第２機器１２とを電気的に接続した状態で、中継装置１の電源スイッチを操作した後の制御部２と判定部４との動作である。
【００４８】
中継装置１の制御部２は、中継装置１の電源スイッチを操作されて起動する。制御部２は、起動を完了すると、選択モードで動作する（Ｓ１）。制御部２は、選択モードになると、第１信号ＳＮ１を第１通信部３１からコネクタ５に送出させる。制御部２は、第１信号ＳＮ１を第１通信部３１からコネクタ５に送出させた時点からの経過時間をタイマにより計時する。第２機器１２は、第２通信プロトコルで第２信号ＳＮ２を伝送する機器であるため、第１通信プロトコルに従う第１信号ＳＮ１が第２機器１２に入力されても、第２機器１２は第１信号ＳＮ１を第１通信部３１に送信しない。そのため、第１通信部３１が第１信号ＳＮ１を送信した後に、第２機器１２から第１信号ＳＮ１を受信することはない。
【００４９】
第１判定部４１は、第１通信プロトコルの複数の通信方式の各々を順に指定する第１信号ＳＮ１を第１通信部３１から送信させる。第１判定部４１は、全ての通信方式を指定する第１信号ＳＮ１を第１通信部３１から送信させた場合であっても、第１通信部３１が第１信号ＳＮ１を受信しない場合がある。第１判定部４１において、タイマが計時する時間が第１所定時間に達する時点までに第１通信部３１が第１信号ＳＮ１を受信していないと判定された場合（Ｓ２：Ｎｏ）、第１判定部４１は、第１通信部３１が第１信号ＳＮ１を受信していないと判定する。
【００５０】
第１判定部４１において第１通信部３１が第１信号ＳＮ１を受信していないと判定されると、制御部２はタイマをリセットして再びタイマに計時を開始させる。また、第１判定部４１において第１通信部３１が第１信号ＳＮ１を受信していないと判定されると、第２判定部４２は、判定動作を開始する。第２判定部４２は、タイマが計時した時間が第２所定時間（例えば３０秒程度）に達する時点までに第１通信部３１が特定のパターンの第２信号ＳＮ２を受信したか否かを判定する（Ｓ６）。
【００５１】
第２判定部４２は、第１通信部３１が特定のパターンの第２信号ＳＮ２を受信したと判定すると（Ｓ６：Ｙｅｓ）、制御部２は、第２状態を選択し（Ｓ７）、動作モードを選択モードから通常モードにする（Ｓ５）。制御部２が第２状態を選択した場合、制御部２は、通常モードにおいて、第２通信プロトコルと第１通信プロトコルとを相互に変換して第１通信部３１と第２通信部３２との間で情報を伝送する。
【００５２】
ところで、第２判定部４２において第１通信部３１が所定の第２信号ＳＮ２を受信していないと判定されると（Ｓ６：Ｎｏ）、制御部２は、第１通信部３１と通信可能な通信方式の第２機器１２がコネクタ５に電気的に接続されていないと判定する。この場合、制御部２は、一例として、選択モードを終了させて通常モードになり、第１状態も第２状態も選択していない状態であることを作業者に報知する動作を報知部７に行わせる。
【００５３】
ここで、中継装置１の第１判定部４１の動作の詳細と、制御部２が第１機器１１に関する所定の情報を記憶部６に登録する動作の詳細とについて図３を参照して説明する。
【００５４】
制御部２は、起動を完了すると選択モードになる（Ｐ１）。制御部２は、タイマに計時を開始させた後に、第１判定部４１に判定動作を開始させる（Ｐ２）。第１判定部４１は、まず、タイマが計時した時間が第１所定時間に達する時点までに第１通信部３１が第１信号ＳＮ１を受信するか否かを判定する。制御部２は、通信方式を第１機器１１に確認するための情報を含む第１信号ＳＮ１を第１通信部３１からコネクタ５に送出させる（Ｐ３）。第１機器１１は、第１信号ＳＮ１に含まれる通信方式に対応可能である場合、確認に対して応答する情報を含む第１信号ＳＮ１を第１通信部３１に送信する（Ｐ４）。第１判定部４１は、第１通信部３１が第１信号ＳＮ１を受信したと判定した場合、第１通信部３１が第１信号ＳＮ１を受信したか否かの判定を終了する（Ｐ５）。
【００５５】
制御部２は、第１通信部３１が受信した第１信号ＳＮ１に含まれる通信方式を通信インターフェース情報として記憶部６に設定する（Ｐ６）。制御部２は、以降の第１通信部３１と第１機器１１との通信を、記憶部６に設定した通信インターフェース情報に従う通信方式で行わせる。制御部２は、第１機器１１の種別を要求する第１情報を含む第１信号ＳＮ１を第１通信部３１からコネクタ５に送出させて、第１機器１１に第１情報を要求する（Ｐ７）。第１機器１１は、機器の種別に関する第１情報を含む第１信号ＳＮ１を第１通信部３１に送信して、第１情報を第１通信部３１に送信する（Ｐ８）。第１判定部４１は、第１信号ＳＮ１が第１機器１１の種別に関する第１情報を含んでいるか否かを判定する。第１判定部４１において第１信号ＳＮ１が第１機器１１の種別に関する第１情報を含んでいると判定されると、制御部２は、第１情報（つまり第１機器１１の種別）を記憶部６に登録する（Ｐ９）。
【００５６】
次に、制御部２は、第２情報を含む第１信号ＳＮ１を第１通信部３１からコネクタ５に送出させて、第１機器１１に第２情報の送信を要求する（Ｐ１０）。第２情報は、第１信号ＳＮ１が伝送する情報の種別を示す情報である。第１機器１１は、第２情報を含む第１信号ＳＮ１を第１通信部３１に送信して、第２情報を第１通信部３１に送信する（Ｐ１１）。第１判定部４１は、第１信号ＳＮ１が第２情報を含んでいるか否かを判定する。第１判定部４１において第１信号ＳＮ１が第２情報を含んでいると判定されると、制御部２は、第２情報（つまり第１信号ＳＮ１が伝送する情報の種別）を記憶部６に登録する（Ｐ１２）。制御部２は、第１機器１１の種別と、第１信号ＳＮ１が伝送する情報の種別と、を記憶部６に登録した後に、第１状態を選択し（Ｐ１３）、通常モードになる（Ｐ１４）。
【００５７】
次に、中継装置１の第２判定部４２の動作の詳細と、制御部２の動作の詳細とについて図４を参照して説明する。第２機器１２は、変換コネクタ９と第２ケーブル５２とを介して中継装置１のコネクタ５に電気的に接続されている。
【００５８】
制御部２は、起動を完了すると選択モードになる（Ｐ２１）。制御部２は、第１判定部４１に判定動作を終了させた後に、タイマをリセットする。制御部２は再びタイマに計時を開始させた後に、第２判定部４２に判定動作を開始させる（Ｐ２２）。第２判定部４２の判定動作が開始すると、制御部２は、第２判定部４２の判定動作を開始したことを報知部７に報知させる。
【００５９】
第２判定部４２は、第１通信部３１に入力される電圧レベルが特定のパターンで変化する否かを判定する。特定のパターンとは、第１通信部３１に入力される電圧レベルが、ローレベル→ハイレベル→ローレベルの順に変化するパターンである。特定のパターンのハイレベルの期間は、所定期間以上の長さの期間である。所定期間の長さは、第２所定時間よりも短い長さ（例えば、３秒程度）である。所定期間の長さは、一例として、第１通信部３１に入力される電圧レベルを第２判定部４２が百ミリ秒などの所定周期で監視する際のサンプリング回数（例えば３０回程度）に応じて定められている。第２判定部４２が当該電圧レベルを複数回（例えば３０回程度）サンプリングした際に、電圧レベルが所定の回数以上ハイレベルとなった後にローレベルになると、第２判定部４２は、第１通信部３１が特定のパターンの第２信号ＳＮ２を受信したと判定する。
【００６０】
ところで、第２判定部が第１通信部３１に入力される電圧レベルを監視する構成は、周期的に電圧レベルをサンプリングする構成に限らず、アナログ回路などを用いて電圧レベルを常時監視する構成などでもよい。また、第２判定部４２は、第２信号ＳＮ２の電圧レベルがハイレベルとなっている時間が所定期間の長さに達したか否かを判定するように構成されていてもよい。
【００６１】
第２判定部４２は、判定動作を開始すると、第１通信部３１に入力される信号の電圧レベルを周期的にサンプリングして監視し、第１通信部３１に入力される信号がローレベルの信号かハイレベルの信号かを判定する（Ｐ２３）。例えば、作業者が第２機器１２の操作部１２１を操作していない場合、第２機器１２は、第２信号ＳＮ２の電圧レベルをローレベルにすることによりローレベルの信号を第１通信部３１に送信する（Ｐ２４）。したがって、第２判定部４２は、第１通信部３１に入力される信号がローレベルの信号であると判定する。
【００６２】
作業者は、報知部７の動作によって第２判定部４２の判定動作の開始を知った後で、第２機器１２を中継装置１の記憶部６に登録する登録操作を開始する。作業者は、第２機器１２の操作部１２１を操作する（Ｐ２５）。第２機器１２は、操作部１２１が操作されている期間中における第２信号ＳＮ２の電圧レベルをハイレベルにすることによりハイレベルの信号を第１通信部３１に送信する（Ｐ２６）。したがって、第２判定部４２は、第１通信部３１に入力される信号がハイレベルの信号であると判定する。作業者が所定期間、操作部１２１を操作した後に、操作部１２１の操作を終了して登録操作を終了すると（Ｐ２７）、第２機器１２は、再びローレベルの信号を第１通信部３１に送信する（Ｐ２８）。したがって、第２判定部４２は、第１通信部３１に入力される信号がローレベルの信号であると判定する。
【００６３】
第２判定部４２は、第１通信部３１に入力される信号の電圧レベルの変化のパターンが、特定のパターンであると判定した場合、第１通信部３１が第２信号ＳＮ２を受信したことを制御部２に出力し、判定動作を終了する（Ｐ２９）。制御部２は、第１通信部３１が第２信号ＳＮ２を受信したと第２判定部４２が判定した場合、第２状態を選択し（Ｐ３０）、通常モードになる（Ｐ３１）。
【００６４】
ところで、第２機器１２が特定のパターンの第２信号ＳＮ２を出力する構成は、作業者が操作部１２１を所定期間操作する（例えば押釦スイッチを押操作する）構成に限定されない。第２機器１２が特定のパターンの第２信号ＳＮ２を出力する構成は、第２機器１２が有するマイコンなどが特定のパターンの第２信号ＳＮ２を生成して第１通信部３１に送信する構成でもよい。また、操作部１２１は、押釦スイッチの他にも、マグネットスイッチ、スライドスイッチ、トグルスイッチなどの適宜のスイッチであってもよい。
【００６５】
（７）まとめ
以上説明したように、本実施形態の中継装置１は、第１機器１１及び第２機器１２の何れか一方の機器と通信装置１００との通信を中継する中継装置である。中継装置１は、第１通信部３１と、第２通信部３２と、制御部２と、を備える。第１通信部３１は、第１機器１１との間で第１通信プロトコルに従う第１信号ＳＮ１を伝送し、第２機器１２との間で第２通信プロトコルに従う第２信号ＳＮ２を伝送する。第２通信部３２は、通信装置１００との間で第１通信プロトコルに従う第３信号ＳＮ３を伝送する。制御部２は、第１通信部３１及び第２通信部３２の伝送動作を制御する。制御部２は、動作状態として、第１信号ＳＮ１及び第３信号ＳＮ３が伝送する情報を第１機器１１と通信装置１００との間で授受させる第１状態を有する。制御部２は、動作状態として、第１通信プロトコルと第２通信プロトコルとを相互に変換して第２信号ＳＮ２及び第３信号ＳＮ３が伝送する情報を第２機器１２と通信装置１００との間で授受させる第２状態を有する。
【００６６】
上記構成によれば、制御部２は、通信装置１００と第１機器１１との間で第１通信プロトコルに従う情報を授受させることができる。制御部２は、第１通信部３１と第２機器１２との間で第２信号ＳＮ２を伝送させ、かつ第１通信プロトコルと第２通信プロトコルとを相互に変換して第２信号ＳＮ２が伝送する情報を第２機器１２と通信装置１００との間で授受させることができる。制御部２は、第１通信部３１の通信プロトコルが第１通信プロトコル及び第２通信プロトコルの何れであっても、第１通信部３１と第２通信部３２との間で情報を授受させることができる。したがって、中継装置１は、第１機器１１及び第２機器１２の何れか一方の機器と通信装置１００との通信プロトコルが共通か否かに関わらず機器と通信装置１００との通信を中継することができる。
【００６７】
本実施形態の中継装置１は、判定部４を備えていることが好ましい。判定部４は、第１通信部３１が第１信号ＳＮ１を受信したか否かを判定する第１判定部４１と、第１通信部３１が第２信号ＳＮ２を受信したか否かを判定する第２判定部４２とを有する。制御部２は、第１判定部４１及び第２判定部４２の判定結果に基づいて第１状態及び第２状態の何れか一方を選択するように構成されたことが好ましい。上記構成によれば、制御部２は、第１通信部３１が受信した信号が第１信号ＳＮ１か第２信号ＳＮ２かによって第１状態及び第２状態の何れか一方を選択することができる。
【００６８】
中継装置１では、判定部４は、第１通信部３１が受信した信号（ここでは第１信号ＳＮ１及び第２信号ＳＮ２のうち少なくとも一方）に基づいて判定動作を行うように構成されたことが好ましい。これにより、制御部２は、第１通信部３１が信号を受信することができる状態になれば第１状態及び第２状態の何れか一方を選択することができる。
【００６９】
中継装置１の第１判定部４１において、第１信号ＳＮ１が伝送する情報に第１機器１１の種別を示す第１情報と当該情報の種別を示す第２情報とが含まれると判定された場合、制御部２は、第１状態を選択するように構成されたことが好ましい。これにより、中継装置１は、機器の種別を示す第１情報と当該情報の種別を示す第２情報とを含めた情報を第１信号ＳＮ１で伝送可能な機器のみを第１機器１１であると判定して、第１機器１１と第１通信プロトコルで第１信号ＳＮ１を伝送することができる。
【００７０】
中継装置１の第２判定部４２において第２信号ＳＮ２が特定のパターンでハイレベルとローレベルとに切り替わると判定された場合、制御部２は、第２状態を選択するように構成されたことが好ましい。これにより、中継装置１は、特定のパターンでハイレベルとローレベルとに切り替わる第２信号ＳＮ２を受信した場合に、第１通信プロトコルと第２通信プロトコルとを相互に変換して第２機器１２と通信装置１００との通信を中継する。
【００７１】
制御部２は、動作モードとして選択モードと通常モードとを有することが好ましい。選択モードは、制御部２が第１状態及び第２状態の何れか一方を選択するモードである。通常モードは、制御部２が選択モードで選択した第１状態及び第２状態の何れか一方を維持するモードである。上記構成によれば、中継装置１は、制御部２が選択モードで第１状態及び第２状態の何れか一方を選択した後に通常モードになると、再び選択モードにならない限り、制御部２が選択モードで選択したモードを維持し続けることができる。また、中継装置１は、第１通信部３１が第１信号ＳＮ１又は第２信号ＳＮ２を受信するごとに制御部２が選択モードとなる場合と比べて、制御部２が動作状態を選択する頻度を少なくすることができる。
【００７２】
本実施形態の中継装置１は、第１通信部３１と機器（ここでは第１機器１１及び第２機器１２の何れか一方）とを電気的に接続するコネクタ５を更に備えたことが好ましい。上記構成によれば、機器に接続されたケーブル（ここでは第１ケーブル５１及び第２ケーブル５２の何れか一方）をコネクタ５に電気的に接続することで、中継装置１は当該ケーブルを介して機器と有線通信により通信することができる。
【００７３】
ところで、本実施形態の中継装置１における判定部４は、第１判定部４１と第２判定部４２との両方を有しているが、判定部４は、第１判定部４１と第２判定部４２とのうち少なくとも一方を有していてもよい。つまり、本実施形態の中継装置１において、判定部４は、第１通信部３１が第１信号ＳＮ１を受信したか否かを判定する第１判定部４１と、第１通信部３１が第２信号ＳＮ２を受信したか否かを判定する第２判定部４２とのうち少なくとも一方を有すればよい。制御部２は、第１判定部４１及び第２判定部４２のうち少なくとも一方の判定結果に基づいて第１状態及び第２状態の何れか一方を選択すればよい。
【００７４】
上記構成によれば、判定部４が第１判定部４１と第２判定部４２とのうち少なくとも一方を有していれば、第１通信部３１と電気的に接続された機器が第１機器１１及び第２機器１２の何れであるかを判定部４が判定できる。したがって、制御部２は、判定部４の判定結果に基づいて第１状態及び第２状態の何れか一方を選択することができる。ところで、中継装置１の制御部２は、第１通信部３１に第１機器１１及び第２機器１２の何れか一方の機器が接続されているか否かを判定する機能を別に有していてもよい。
【００７５】
また、中継装置１の制御部２は、第１通信部３１の第１通信プロトコルで伝送する第１信号ＳＮ１のバージョンを、第２通信部３２で伝送する第３信号ＳＮ３の第１通信プロトコルのバージョンに合わせるように構成されていてもよい。例えば、第１通信プロトコルのバージョンが変更された場合、制御部２は、変更後の第１通信プロトコルのバージョンで、第１通信部３１と第１機器１１とを通信させるように構成されていてもよい。制御部２は、例えば、第２通信部３２が通信装置１００から取得した情報に基づいて、通信装置１００と第２通信部３２との通信における第１通信プロトコルのバージョンが変更されたことを識別できるように構成されていてもよい。制御部２は、第１通信部３１と第１機器１１との通信プロトコルを、変更された第１通信プロトコルのバージョンに変更することができる。これにより、第１通信プロトコルのバージョンが変更された場合でも、中継装置１は、変更後の第１通信プロトコルのバージョンで、通信装置１００と第１機器１１との通信を中継することができる。第１通信部３１の第１通信プロトコルのバージョンを、第２通信部３２の第１通信プロトコルのバージョンに合わせる構成は、必須の構成ではないので省略可能である。
【００７６】
ところで、中継装置１は、第１機器１１との間で第１信号ＳＮ１を送受信する構成に限定されず、第１機器１１との間で第１信号ＳＮ１の送信及び受信のうち少なくとも一方を行うように構成されていてもよい。同様に、中継装置１は、第２機器１２との間で第２信号ＳＮ２の送信及び受信のうち少なくとも一方を行うように構成されていてもよいし、通信装置１００との間で第３信号ＳＮ３の送信及び受信のうち少なくとも一方を行うように構成されていてもよい。
【００７７】
第２機器１２は、中継装置１との間で第２信号ＳＮ２を送受信する構成に限定されず、中継装置１との間で第２信号ＳＮ２の送信及び受信のうち少なくとも一方を行うように構成されていてもよい。第２機器１２は、例えば、第２信号ＳＮ２の伝送に関して、第２信号ＳＮ２を中継装置１に送信する機能が省略されて第２信号ＳＮ２を中継装置１から受信するのみの構成であってもよい。
【００７８】
第１機器１１は、通信装置１００との間で第１信号ＳＮ１を送受信する構成に限定されず、通信装置１００との間で第１信号ＳＮ１の送信及び受信のうち少なくとも一方を行うように構成されていてもよい。
【００７９】
通信装置１００は、中継装置１との間で第３信号ＳＮ３を送受信する構成に限定されず、中継装置１との間で第３信号ＳＮ３の送信及び受信のうち少なくとも一方を行うように構成されていてもよい。
【００８０】
制御部２は、第１通信部３１が受信した信号によって第１状態及び第２状態の何れか一方を選択することに限定されない。制御部２は、例えば、中継装置１に設けられた選択用スイッチの状態に応じて第１状態及び第２状態の何れか一方を選択するように構成されていてもよい。選択用スイッチは、コネクタ５に接続される機器が第１機器１１か第２機器１２かをスイッチの状態に応じて制御部２に通知するためのスイッチである。選択用スイッチは、例えば、スライドスイッチ、押釦スイッチ、ロータリスイッチ、ディップスイッチなどのスイッチである。中継装置１が第１機器１１又は第２機器１２から信号を受信できない場合であっても、作業者が選択用スイッチを操作することにより、制御部２は第１状態及び第２状態の何れか一方を選択するように構成されていてもよい。
【００８１】
ところで、第２判定部４２が判定する第２信号ＳＮ２の特定のパターンは、例えばハイレベル→ローレベル→ハイレベルのように、第２信号ＳＮ２の電圧レベルのハイレベルとローレベルとが逆の関係であってもよい。また、第２判定部４２における特定のパターンの判定機能は省略可能であり、中継装置１は、例えば、第１通信部３１が受信した信号が第２信号ＳＮ２であるか否かを判定する機能を少なくとも有していればよい。
【００８２】
第２信号ＳＮ２は、ローレベルの電圧とハイレベルの電圧とからなる信号であるが、他にも例えば、ローレベルの電流とハイレベルの電流とからなる信号であってもよい。その場合、第２判定部４２は、第１通信部３１に入力される電流レベルの違いに基づいて判定動作を行う。
【００８３】
第１判定部４１において、第１信号ＳＮ１に含まれる情報に、第１機器１１の種別を示す第１情報と、当該情報の種別を示す第２情報とが含まれるか否かを判定する機能は、省略可能である。制御部２は、例えば、第１通信部３１が第１信号ＳＮ１を受信したか否かに応じて第１状態を選択するように構成されていてもよい。
【００８４】
第１、第２通信プロトコルはそれぞれ、ECHONET Lite用、日本電機工業会規格ＪＥＭ１４２７の通信プロトコルに限定されず、互いに異なる通信プロトコルであればよい。
【００８５】
本実施形態の中継装置１と通信装置１００とは無線通信を行うが、これに限らず、中継装置１と通信装置１００とは有線通信を行ってもよい。その場合、中継装置１は、中継装置１と通信装置１００とに接続されるケーブルの両端にあるプラグのうちの一方を接続するための接続用コネクタを備えていればよい。
【００８６】
中継装置１は、コネクタ５を１つ備えることに限らず、コネクタ５を複数備えていてもよい。その場合、中継装置１は、コネクタ５の数に応じて複数の制御部２及び複数の判定部４を備えていてもよい。
【００８７】
報知部７は、制御部２の状態を光で報知することの他にも、例えば、スピーカなどを鳴動させて音で作業者に制御部２の状態を報知するように構成されていてもよい。
【００８８】
中継装置１の第１通信部３１と、第１機器１１及び第２機器１２の各々とは、有線通信に限らず、無線通信を行うように構成されていてもよい。その場合、中継装置１のコネクタ５は省略可能であり、第１通信部３１は無線通信用のアンテナを有していればよい。
【００８９】
中継装置１は、戸建住宅でのＨＥＭＳで用いられることに限らず、マンションなどの集合住宅、及びオフィスビルなどの商業施設などのＥＭＳ（Energy Management System）でも用いることができる。
【符号の説明】
【００９０】
１  中継装置
１１  第１機器（機器）
１２  第２機器（機器）
１００  通信装置
２  制御部
３１  第１通信部
３２  第２通信部
４  判定部
４１  第１判定部
４２  第２判定部
５  コネクタ
ＳＮ１  第１信号
ＳＮ２  第２信号
ＳＮ３  第３信号
【図１】
2018088651.tif 000003
【図２】
2018088651.tif 000004
【図３】
2018088651.tif 000005
【図４】
2018088651.tif 000006